(57)【要約】      （修正有）【課題】  石油系ドライクリーニング装置の開放型乾燥器において、石油系の溶剤ガスを大気中に放出しないようにすること。【解決手段】  石油系ドライクリーナーと開放型乾燥器Ａを用いた業務用の各種石油系ドライクリーニング装置において、その開放型乾燥器Ａの排気ダクト２と別設の冷却凝結液化回収器Ｂを配管接続３して備えたものであり、開放型乾燥器Ａ内の熱蒸気と溶剤ガスが混合した排気ガス１０を該冷却凝結液化回収器Ｂに通し、通過の過程で、排気ガス１０中の溶剤１２と水分１３を冷却凝結液化して分離し、溶剤１２と水分１３を除去して残った空気１１だけを器外へ放出するように備えたものである、開放型乾燥器の排気ガスの冷却凝結液化回収器。【選択図】  図１
2005319153.tif 000002
【特許請求の範囲】
【請求項１】
石油系ドライクリーナーと開放型乾燥器を用いた業務用の各種石油系ドライクリーニング装置において、その開放型乾燥器の排気ダクトと別設の冷却凝結液化回収器を配管接続して備えたものであり、
開放型乾燥器内の熱蒸気と溶剤ガスが混合した排気ガスを冷却凝結液化回収器に通し、通過の過程で、排気ガス中の溶剤と水分を冷却凝結液化して分離すると共に、溶剤と水分を除去して残った空気だけを器外へ放出するように備えたものである、
開放型乾燥器の排気ガスの冷却凝結液化回収器。
【請求項２】
石油系ドライクリーナーと開放型乾燥器を用いた業務用の各種石油系ドライクリーニング装置において、その開放型乾燥器の排気ダクトと別設の冷却凝結液化回収器を配管接続して備えたものであり、
開放型乾燥器内の熱蒸気と溶剤ガスが混合した排気ガスを冷却凝結液化回収器に通し、通過の過程で、排気ガス中の溶剤と水分を冷却凝結液化して分離すると共に、溶剤と水分を除去して残った空気だけを器外へ放出するように備えたものであり、
該冷却凝結液化回収器は、給気口、排気口、ドレン等を備えた冷却庫と排気ガスを設定温度に冷却する各種の電機冷却装置を備え、冷却庫に電機冷却装置で冷却して熱交換作用を行うため排気ガスとの接触面積を大に形成した、冷却管、冷却板等の冷却凝結液化手段を備えたものであり、
開放型乾燥器の排気ダクトから排出された排気ガスを、該排気ダクトに配管接続した冷却凝結液化回収器の給気口から冷却庫内に流入し、排気口から外部へ放出するまでの過程で、冷却庫の冷却凝結液化手段に接触し冷却して、排気ガス中に含まれる溶剤と水分を冷却凝結液化し液体として分離してドレンから貯留槽等へ排出すると共に、残った空気を排気口から器外へ放出するように備え、また、貯留槽等に貯留した液体から溶剤を分離回収して再使用するように備えたものである、
請求項１記載の開放型乾燥器の排気ガスの冷却凝結液化回収器。
【請求項３】
冷却凝結液化回収器は家庭用冷蔵庫と同等若しくはそれ以上の冷却性能を有する装置とし、若しくは、家庭用冷蔵庫を簡単な改造でそのまま使用するようにしたものである、
請求項１記載の開放型乾燥器の排気ガスの冷却凝結液化回収器。
【請求項４】
冷却凝結液化回収器の排気ガス冷却温度を調節して、開放型乾燥器の排気ダクトを通ってきた排気ガスの温度を設定温度に低下するように備えたものである、
請求項１記載の開放型乾燥器の排気ガスの冷却凝結液化回収器。
【請求項５】
開放型乾燥器の排気ダクトに配管接続した第１段の冷却凝結液化回収器の排気口と第２段の冷却凝結液化回収器の給気口を配管接続し、第２段の冷却凝結液化回収器の排気口と第３段の冷却凝結液化回収器の給気口を配管接続するようにして、開放型乾燥器に１段以上複数段の冷却凝結液化回収器を配管接続するように備えたものである、
請求項１記載の開放型乾燥器の排気ガスの冷却凝結液化回収器。
【発明の詳細な説明】
【技術分野】
【０００１】
本発明は、石油系ドライクリーナーと開放型乾燥器からなる業務用の各種の石油系ドライクリーニング装置(以下、クリーニング装置と記す。)において、開放型乾燥器の排気ダクトから排出される蒸気と溶剤ガスが混合したもの(以下、排気ガスと記す。)を冷却凝結液化回収器で液体(溶剤と水分)と空気に分離して、溶剤を回収再使用すると共に空気を大気中に放出するように備えた、開放型乾燥器の排気ガスの冷却凝結液化回収器に係るものである。
【背景技術】
【０００２】
現在、クリーニング業界では、石油系ドライクリーナーと開放型乾燥器を用いた業務用の各種のクリーニング装置が最も一般的に使用されている。
該クリーニング装置は、石油系ドライクリーナーで石油系溶剤によって衣類(洗濯物・例、１回３０Ｋｇ位)の洗浄を行い、洗浄後に溶剤を衣類から遠心脱液し、次いで、開放型乾燥器Ａのドラム１にその洗浄済(遠心脱液済)の衣類を投入し、該ドラム１を回転して衣類を攪拌しつつ、給気ダクト１５から加熱蒸気（１６は加熱器）を吹き込み、衣類に含浸した溶剤（例・衣類３０Ｋｇ位の場合その約１０％位、溶剤約３リットル位含浸）を加熱蒸発して衣類を乾燥し、同時にファン１７で排気ガス１０を排気ダクト２から大気中へ、そのまま、放出するように備えたものである。
【０００３】
なお、乾燥中の開放型乾燥器内の温度は４０〜７０℃位、平均的乾燥温度は６０℃位で比較的に低温であり、溶剤ガスも低濃度であるが、溶剤ガスの引火危険温度の下限が４０℃位とされているため、乾燥中は常に引火、爆発の危険に備えた安全管理が必要とされ種々の対策が実施されている。
【発明の開示】
【発明が解決しようとする課題】
【０００４】
而して、従来は、上記クリーニング装置の開放型乾燥器を稼動して洗浄済衣類の乾燥を行い、排気ダクトから排気ガスを、そのまま、大気中に放出していたが、その場合、下記のような問題点があるため、近い将来、法令等によって、大気中にそのまま放出するのを禁止する方向にあるため、早急に、それに対する対策が重要な課題となったものである。
１．業務用で長時間連続して極めて大量の石油系の溶剤ガスを、そのまま大気中に放出するため、大気汚染の環境問題を生じている。
２．石油系の気体であるため、悪臭による被害を与えている。
３．熱風を大量に吹き出すため、熱風公害、大気温度上昇（特に夏季）の悪影響を及ぼしている。
【課題を解決するための手段】
【０００５】
そこで、本発明は、石油系ドライクリーナーと開放型乾燥器を用いた業務用の各種のクリーニング装置において、その開放型乾燥器の排気ダクトと別設の冷却凝結液化回収器を配管接続して備えたものであり、
【０００６】
開放型乾燥器内の熱蒸気と溶剤ガスが混合した排気ガスを冷却凝結液化回収器に通し、通過の過程で、排気ガス中の溶剤と水分を冷却凝結液化して分離すると共に、溶剤と水分を除去して残った空気だけを器外へ放出するように備えたものである、開放型乾燥器の排気ガスの冷却凝結液化回収器によって課題を解決したものである。
【０００７】
即ち、本発明は、石油系ドライクリーナーと開放型乾燥器を用いた業務用の各種石油系ドライクリーニング装置において、その開放型乾燥器の排気ダクトと別設の冷却凝結液化回収器を配管接続して備えたものであり、
【０００８】
開放型乾燥器内の熱蒸気と溶剤ガスが混合した排気ガスを冷却凝結液化回収器に通し、通過の過程で、排気ガス中の溶剤と水分を冷却凝結液化して分離すると共に、溶剤と水分を除去して残った空気だけを器外へ放出するように備えたものであり、
【０００９】
該冷却凝結液化回収器は、給気口、排気口、ドレン等を備えた冷却庫と排気ガスを設定温度に冷却する各種の電機冷却装置を備え、冷却庫に電機冷却装置で冷却して熱交換作用を行う冷却凝結液化手段を備えたものであり、該冷却凝結液化手段は、熱交換作用を行うため排気ガスとの接触面積を大に形成した、例えば、冷却管(例、ジグザグ状、渦巻状等に形成した冷却管)、複数枚の冷却板、フィン、パンチプレート、若しくは金網等を備えたものであり、
【００１０】
開放型乾燥器の排気ダクトから排出された排気ガスを、該排気ダクトに配管接続した冷却凝結液化回収器の給気口から冷却庫内に流入し、排気口から外部へ放出するまでの過程で、冷却庫の冷却凝結液化手段に接触し冷却して、排気ガス中に含まれる溶剤と水分を冷却凝結液化し液体として分離してドレンから貯留槽等へ排出すると共に、残った空気を排気口から器外へ放出するように備え、また、貯留槽等に貯留した液体から溶剤を分離回収して再使用するように備えたものである、開放型乾燥器の排気ガスの冷却凝結液化回収器によって課題を解決したものである。
【発明の効果】
【００１１】
従来のクリーニング装置の開放型乾燥器は、溶剤ガスの混入した排気ガスを排気ダクトから、そのまま、大気中に放出していたため、
１．業務用で長時間連続して極めて大量の石油系の溶剤ガスを、そのまま大気中に放出するため、大気汚染の環境問題を生じる、
２．石油系の気体であるため、悪臭による被害を与える、
３．熱風を大量に吹き出すため、熱風公害、大気温度上昇（特に夏季）の悪影響を及ぼす、等の多大な課題があったが、
本発明は冷却凝結液化回収器で排気ガス中の溶剤と水分を液化分離して、無臭の空気だけを大気中に放出するようにしたので、上記従来の課題を全てクリアーできる極めて優れた効果がある。
【００１２】
本発明は、開放型乾燥器の排気ダクトと本発明冷却凝結液化回収器を配管接続して備えたものであるため、例えば、家庭用冷蔵庫と同等程度の冷却性能を有する極めて簡易な装置で充分に対応でき、よって、装置コスト、設置コスト、そしてランニングコスト等全てのコストを格段に低く設定することが出来る特長がある。
【００１３】
本発明の冷却凝結液化回収器は独立した装置であるため、開放型乾燥器と単に配管接続するだけで済み、よって、両者を接近して設置することも、或いは離隔した別の場所に設置することも全く自由にできる優れた特徴があり、従って、設置場所及びスペースの点での課題を解消できる。
【００１４】
ドラムの排気ダクトから排出される排気ガスを外部に洩らし或いは曝すこと無しに全て冷却庫へ送給し、直ちに庫内で安全な温度に冷却して溶剤ガスを液化してしまうため、引火、爆発の恐れがない。
【００１５】
従来、排気ガスを排気ダクトから、そのまま、大気中に放出していたのに比し、本発明は排気ガスを積極的に処理するようにしたため、乾燥処理時間を短縮し得る。
【００１６】
本発明の冷却凝結液化回収器は例えば家庭用冷蔵庫と同等程度の冷却性能を有する極めて簡易な装置で充分であるため、極めて簡単、安価に製造でき、また、例えば、家庭用冷蔵庫を簡単な改造でそのまま使用することもできる利点がある。
【発明を実施するための最良の形態】
【００１７】
既存のクリーニング装置における開放型乾燥器の排気ダクトと本発明冷却凝結液化回収器を配管接続して備えるだけで、課題を有効に解決し得た。
【実施例１】
【００１８】
図１、図２を参照。
図１は、開放型乾燥器と本発明冷却凝結液化回収器を配管接続構成した状態の説明図である。
図２は、本発明冷却凝結液化回収器の実施例の構成概略を示す図である。
【００１９】
石油系ドライクリーナーと開放型乾燥器Ａを用いた業務用の各種石油系ドライクリーニング装置において、その開放型乾燥器Ａの排気ダクト２と別設の冷却凝結液化回収器Ｂを配管接続３して備えたものであり、
【００２０】
開放型乾燥器Ａ内の熱蒸気と溶剤ガスが混合した排気ガス１０を該冷却凝結液化回収器Ｂに通し、通過の過程で、排気ガス１０中の溶剤１２と水分１３を冷却凝結液化して分離して器外へ排出し、溶剤１２と水分１３を除去して残った空気１１だけを器外へ放出するように備えたものであり、(図１を参照)
【００２１】
該冷却凝結液化回収器Ｂは、給気口４、排気口５、ドレン６等を備えた冷却庫７と排気ガス１０を設定温度に冷却する各種の電機冷却装置８を備え、冷却庫７に電機冷却装置８で冷却して熱交換作用を行う冷却凝結液化手段９を備えたものであり、該冷却凝結液化手段９は熱交換作用を行うため排気ガス１０との接触面積を大に形成した、例えば、冷却管(例、ジグザグ状、渦巻状等に形成した冷却管)、複数枚の冷却板、フィン、パンチプレート、若しくは金網等を備えたものであり、(図２を参照)
【００２２】
開放型乾燥器Ａの排気ダクト２からファン０１７で排出された排気ガス１０を、該排気ダクト２に配管接続３した冷却凝結液化回収器Ｂの給気口４から冷却庫７内に流入し、排気口５から外部へ放出するまでの過程で、排気ガス１０が上記冷却凝結液化手段９に接触し冷却して、排気ガス中に含まれる溶剤１２と水分１３を冷却凝結液化し液体として分離してドレン６から貯留槽１４へ排出すると共に、残った空気１１を排気口５から器外へ放出するように備え、また、貯留槽１４に貯留した液体から溶剤１２を分離回収して再使用するように備えた、開放型乾燥器Ａの排気ガスの冷却凝結液化回収器Ｂである。
【００２３】
上記において、冷却凝結液化回収器Ｂの排気ガス冷却温度を設定温度に調節するように備える。例えば、開放型乾燥器Ａの排気ダクト２を通ってきた排気ガスの温度を３０℃位低下するように備える。
その目的は、排気ガスを冷却凝結液化して水分と溶剤を液体として分離する作用を促進することが第一であるが、同時に、冷却庫７内の溶剤ガスの引火、爆発を防止するために、その温度を安全温度(引火危険温度４０℃位以上、よって例えば２０℃位以下)まで急速低下するようにするためである。
【００２４】
例えば、開放型乾燥器Ａ内の平均乾燥温度は６０℃位であり、通常、その排気ガス１０が排気ダクトから出て冷却凝結液化回収器Ｂの給気口４に到達した時点では４５℃位になっているので、該排気ガス温度と庫内温度との差が３０度℃位有るように冷却庫内の冷却温度を設定すれば、排気ガスを１５℃以下の冷却凝結液化に適合すると同時に、引火、爆発の危険が無い安全温度に低下できることになる。
【００２５】
従って、上記の条件を満たすには、例えば、庫内温度を５〜１５℃に冷却する能力が有れば足りることになり、よって、冷却凝結液化回収器Ｂとしては、家庭用冷蔵庫と同等若しくはそれ以上の冷却性能を有する装置とすれば足り、場合によっては、家庭用冷蔵庫を簡単な改造でそのまま使用することも可能である。
【産業上の利用可能性】
【００２６】
クリーニング装置の開放型乾燥器の排気ダクトと本発明冷却凝結液化回収器を配管接続するだけで即座に極めて簡単に実施できるので、現在、業界で使用されている業務用の各種の石油系ドライクリーニング装置の開放型乾燥器に極めて安価かつ簡単に汎用することができる。
【図面の簡単な説明】
【００２７】
【図１】クリーニング装置の開放型乾燥器と冷却凝結液化回収器を配管接続構成した状態の説明図。
【図２】冷却凝結液化回収器の実施例の構成概略を示す図。
【符号の説明】
【００２８】
Ａ    開放型乾燥器
Ｂ    実施例冷却凝結液化回収器
１    ドラム
２    排気ダクト
３    配管接続
４    給気口
５    排気口
６    ドレン
７    冷却庫
８    電機冷却装置
９    冷却凝結液化手段
１０  排気ガス
１１  空気
１２  溶剤
１３  水
１４  貯留槽
１５  給気ダクト
１６  加熱器
１７  ファン
【図１】
2005319153.tif 000003
【図２】
2005319153.tif 000004